(57)【要約】      （修正有）【課題】ユーザがネットワークを介してメモリカード又は一般のネットワークストレージのデータを共有できるようにするために、様々な記憶装置接続インタフェースを統合したアクセスパス選択機能を有するネットワーク装置を提供する。【解決手段】電子装置に対してネットワーク装置に接続された外部メモリにアクセスする機能を提供するアクセスパス選択機能を有するネットワーク装置２０であって、メモリカード２０１及び外部記憶装置２０３のアクセスインタフェースを有した無線ルータ装置である。また、ネットワーク装置は、メモリカードが挿入されるスロット及び特定の外部記憶装置が接続される標準インタフェースを含み、２つ以上の外部記憶媒体に接続する接続インタフェースを同時に具え、更にネットワーク装置内のファイルシステムを解析することによって、無線又は有線の通信手段を介して、装置に接続される端末装置に対しこれら外部記憶媒体へのリモートアクセスを提供する。【選択図】図２
0003183283.tif 000002
【実用新案登録請求の範囲】
【請求項１】
アクセスパス選択機能を有するネットワーク装置であって、
前記ネットワーク装置内部の信号とデータの処理を実行する制御ユニットと、
前記制御ユニットに電気的に接続され、前記ネットワーク装置内の有線又は無線通信プロトコルの通信信号を処理する通信モジュールと、
外部に外部記憶媒体が接続される少なくとも２つの接続機構と、
前記制御ユニットと前記少なくとも２つの接続機構に電気的に接続され、前記少なくとも２つの接続機構の電気信号に基づいてアクセスパスを選択するアクセスパス選択ユニットと、
前記制御ユニットと前記少なくとも２つの接続機構に電気的に接続され、前記アクセスパス選択ユニットから提供された前記少なくとも２つの外部記憶媒体の接続状態に基づいて電力を配置する電力管理ユニットと、
を備えることを特徴とするアクセスパス選択機能を有するネットワーク装置。
【請求項２】
前記少なくとも２つの外部記憶媒体の接続機構は、
メモリカードが挿入されるメモリカードアクセスユニットと、
外部記憶装置が接続される外部アクセスユニットと、
を備えることを特徴とする請求項１記載のアクセスパス選択機能を有するネットワーク装置。
【請求項３】
前記メモリカードアクセスユニットは、前記メモリカードが挿入されるメモリカード接続ポートとメモリカード制御ユニットとを含み、
前記外部アクセスユニットは、前記外部記憶装置が接続される外部接続ポートと外部アクセス制御ユニットとを含む、ことを特徴とする請求項２記載のアクセスパス選択機能を有するネットワーク装置。
【請求項４】
前記メモリカード制御ユニット内に、前記アクセスパス選択ユニットを統合する接続信号検知回路を含むことを特徴とする請求項３記載のアクセスパス選択機能を有するネットワーク装置。
【請求項５】
前記外部接続ポートは、ユニバーサルシリアルバスの接続ポートであることを特徴とする請求項３記載のアクセスパス選択機能を有するネットワーク装置。
【請求項６】
前記外部接続ポートは、複数のユニバーサルシリアルバスを具える集線装置であることを特徴とする請求項５記載のアクセスパス選択機能を有するネットワーク装置。
【請求項７】
前記アクセスパス選択ユニット内に、前記メモリカードアクセスユニットと前記外部アクセスユニットの電気信号を検知する信号検知ユニットを具えることを特徴とする請求項２記載のアクセスパス選択機能を有するネットワーク装置。
【請求項８】
前記ネットワーク装置は、１つ又は複数の端末装置に接続を提供するとともに前記１つ又は複数の端末装置のパケットルーティングを処理するネットワークルータ装置であり、
前記制御ユニットと前記通信モジュールはパケットルーティングを実行する主要回路であり、
前記通信モジュールは、異なるネットワークセグメントの接続のデータパケットを転送するのに用いられることを特徴とする請求項１記載のアクセスパス選択機能を有するネットワーク装置。
【請求項９】
前記制御ユニットに電気的に接続され、前記ネットワーク装置内のパケットルーティングをオンオフできる機能を提供する起動スイッチを更に含むことを特徴とする請求項８記載のアクセスパス選択機能を有するネットワーク装置。
【請求項１０】
前記ネットワーク装置は、外部コンピュータシステムが接続されるコンピュータシステム接続ユニットを具えることを特徴とする請求項１記載のアクセスパス選択機能を有するネットワーク装置。
【考案の詳細な説明】
【技術分野】
【０００１】
本考案は、アクセスパス選択機能を有するネットワーク装置に関し、特にメモリアクセスインタフェースとアクセスパスセレクタとを有する無線ネットワークルータ装置に関する。
【背景技術】
【０００２】
一般に市販されるカードリーダの多くはユニバーサルシリアルバス（ＵＳＢ）インタフェースの製品であり、こうしたカードリーダは主として単一ホストがそのメモリカードのデータにアクセスするのに用いられ、複数のホストに共有させる必要はない。
【０００３】
従来技術によるネットワーク共有方法では、ネットワーク共有のメカニズムを通じて複数のコンピュータシステムが１つのカードリーダのメモリカードにアクセスできるようにし、例えば１つのネットワークディスク（ｎｅｔｗｏｒｋ  ｄｉｓｋ）を設定し、又はイントラネットの相互アクセスのメカニズムを介して共有する。
【０００４】
更に、一般にホストコンピュータがネットに接続する場合まずルータに接続しなければならないが、従来技術のルータにおいて、カードリーダが設けられ、ホストコンピュータがこのルータに接続されることで、カードリーダに挿入されたメモリカードを読み取ることができるものがある。
【考案の概要】
【考案が解決しようとする課題】
【０００５】
本考案は、ユーザがネットワークを介してメモリカード又は一般のネットワークストレージ（ｎｅｔｗｏｒｋ  ｓｔｏｒａｇｅ）のデータを共有できるようにするために、様々な記憶装置の接続インタフェースを統合したアクセスパス選択機能を有するネットワーク装置であって、アクセスパスを自動選択する回路が設けられ、このネットワーク装置に接続した装置が各種記憶媒体のデータを取得できるようにするネットワーク装置を提供する。
【課題を解決するための手段】
【０００６】
本考案の実施例によれば、アクセスパス選択機能を有するネットワーク装置の主要回路は、ネットワークパケットルーティング(ｎｅｔｗｏｒｋ  ｐａｃｋｅｔ  ｒｏｕｔｉｎｇ)を実行するネットワーク通信回路、無線送信を行う無線通信回路、独立電源管理回路、外部装置の接続インタフェース、及びアクセスパスの選択回路を含む。
【０００７】
制御ユニットは、ネットワーク装置が内部の各回路ユニットの信号のやり取りを制御するための制御回路である。本考案に係るアクセスパス選択機能を有するネットワーク装置は無線通信モジュール、アンテナによって外部と通信を行い、外部の無線端末装置の接続サービスを提供する。本考案に係るアクセスパス選択機能を有するネットワーク装置は、無線端末装置が生成したデータパケットを有線ネットワークに転送するための有線通信モジュールを有する。
【０００８】
ネットワーク装置は、少なくとも２つの外部接続ポートを提供し、そのうちの１つはメモリカードアクセスユニットを介してメモリカードに接続するインタフェースを提供し、他の１つは外部アクセスユニットによって外部記憶装置に接続される。
【０００９】
ネットワーク装置は、メモリカードアクセスユニットと外部アクセスユニットに電気的に接続されるアクセスパス選択ユニットを含む。アクセスパス選択ユニットは、ネットワーク装置に接続されたメモリカード又は外部記憶装置にアクセスするアクセスパスを決定し、端末装置がこれらの記憶装置にアクセスするパスを決定する。
【００１０】
例えば、メモリカードがこのネットワーク装置に接続されると、アクセスパス選択ユニットがメモリカードアクセスユニットと外部アクセスユニットによって取得された電気信号に基づいてメモリカードが既に挿入されていると判断し、この時、制御ユニットが送信したアクセス信号をメモリカードアクセスユニットに導き、それによって端末装置がメモリカードの内容にアクセスすることができる。
【００１１】
他の状況において、ネットワーク装置にメモリカードが挿入されていない場合、アクセスパス選択ユニットは、外部アクセスユニットを介していずれかの外部記憶装置がこのネットワーク装置に接続されているかどうかを判断し、接続されている場合は、ネットワーク装置の制御ユニットが、アクセスパス選択ユニット、外部アクセスユニット経由で外部記憶装置に電気的に接続される。
【考案の効果】
【００１２】
１つの実施例によれば、ネットワーク装置内の制御ユニットは、電力管理ユニットに電気的に接続される。電力管理ユニットは、装置の動作に必要な電力配置を管理し、外部接続状態に基づいて電力を供給することによって、最低消費電力において節電の目的を達成することができる。
【００１３】
アクセスパス選択ユニット内にはメモリカードアクセスユニットと外部アクセスユニットに電気的に接続される信号検知ユニットを有する。各接続において随時各インタフェースの電気信号を伝送するため、信号検知ユニットは、特定の検知ピンにおける電気信号に基づいて接続している装置があるか否かを検知する。制御ユニットは、アクセスパス選択ユニットにより接続信号を取得すると共にアクセスパスを選択する。
【００１４】
ネットワーク装置は、挿入されるいずれのメモリカードにも接続されていない場合、基本動作を維持するようにメモリカードアクセスユニットに最低消費電力量のみを提供する。メモリカードが挿入されている場合、信号検知ユニットは、メモリカードアクセスユニットから特定のピンへの挿入の信号を取得し、次いで制御ユニットを介して電力管理ユニットがメモリカードアクセスユニットに電力を供給するように制御する。これに対して、いかなるメモリカードも挿入されていない状態では、信号検知ユニットを介して各接続ピンの電気信号について外部装置に接続されるもう一方の外部アクセスユニットが何らかの装置に接続されているか否かを判断する。接続された外部装置があることが確認された場合、同様に制御ユニットを介して電力管理ユニットがこのインタフェースに給電するよう制御し、そうでない場合は最低消費電力量によって給電し、節電の目的を達成する。
【図面の簡単な説明】
【００１５】
【図１】本考案に係るアクセスパス選択機能を有するネットワーク装置のネットワーク配置の実施例を示した模式図である。
【図２】本考案に係るアクセスパス選択機能を有するネットワーク装置の接続関係の実施例を示した模式図である。
【図３】本考案に係るアクセスパス選択機能を有するネットワーク装置の実施例を示した回路ブロック図である。
【図４】本考案に係るアクセスパス選択機能を有するネットワーク装置のアクセスパス選択メカニズムの実施例を示した模式図である。
【図５Ａ】本考案に係るアクセスパス選択機能を有するネットワーク装置におけるアクセスパス選択メカニズムの実施例の回路を示した模式図である。
【図５Ｂ】本考案に係るネットワーク装置の回路の実施例を示した模式図である。
【図６Ａ】本考案に係るネットワーク装置の電源接続の実施例を示した第１の模式図である。
【図６Ｂ】本考案に係るネットワーク装置の電源接続の実施例を示した第２の模式図である。
【図７】本考案に係るネットワーク装置の外部メモリアクセスパス選択のフローを示した図である。
【考案を実施するための形態】
【００１６】
アクセスパス選択機能を有するネットワーク装置の１つの実施例では、無線ネットワーク装置、独立電源、カードリーダ及び外部ストレージに接続されるインタフェースを結合させた装置として実現される。ネットワーク装置はネットワークルータ、ゲートウェイ又はターゲット装置であってもよい。無線ネットワークルータに適用された場合、外部接続ポートを持たない一部のポータブル装置はこのルータを介して、メモリカード、外付ハードディスク、光学ドライブなどの装置を含む外部記憶媒体にアクセスすることができる。
【００１７】  本明細書に記載するアクセスパス選択機能を有するネットワーク装置によれば、このネットワーク装置は少なくとも外部記憶媒体にアクセスする２つのインタフェースを提供し、そのネットワーク通信機能によってリモートデータ保存サービスを提供し、同時に複数のネットワークサービスアクセス端末、例えばパーソナルコンピュータ、タブレットＰＣ、スマートフォン及びネットワーク接続機能を有する電子装置に対してサービスを提供することができる。装置は、ポータブル式で、独立動作が可能で、無線接続能力を有する１つのネットワーク装置であってもよい。１つの実施例によれば、ネットワーク装置は少なくとも例えばカードリーダであるメモリカードアクセスインタフェースを有し、エネルギー節約及びカードの活線挿抜（Ｈｏｔ  Ｓｗａｐｐｉｎｇ）の機能をサポートし、更に外部記憶装置に接続可能な他のアクセスインタフェース、例えばユニバーサルシリアルバス（ＵＳＢ）、ＰＣＩ（Ｐｅｒｉｐｈｅｒａｌ  Ｃｏｍｐｏｎｅｎｔ  Ｉｎｔｅｒｃｏｎｎｅｃｔ、例えば（公序良俗違反につき、不掲載）等を含む。このアクセスパス選択機能を有するネットワーク装置は、独立電源を有し、直流電源（ＤＣ）及び交流電源（ＡＣ）を使用することができる。これにより、このネットワーク装置にアクセスする端末設備は、通信プロトコル（ｃｏｍｍｕｎｉｃａｔｉｏｎ  ｐｒｏｔｏｃｏｌ）を介して、所要のサービスの内容を選択、制御することができる。
【００１８】
実施例について、図１に本考案に係るアクセスパス選択機能を有するネットワーク装置のネットワーク配置の実施例の模式図を示す。
【００１９】
図１において、ネットワーク装置１０は、例えばルータ装置であり、例えばコンピュータ１４及びネットワーク通信機能を有する電子装置１６といった複数の端末装置の接続を同時に受信することができる。このネットワーク装置１０は、端末装置が生成したデータパケットをネットワーク１００におけるターゲット装置に転送するのに用いられる。一般的な技術において、各端末装置は、この通信方法によりネットワーク１００におけるサーバ１０１に接続するとともに、その資源にアクセスすることができ、或いは他のコンピュータ１０３に接続したり又はネットワークに接続されたネットワークストレージ１０５にアクセスすることが可能である。
【００２０】
本明細書に記載するアクセスパス選択機能を有するネットワーク装置においては、メモリカード１２が挿入されるスロット又はカードリーダ機構を有し、またＵＳＢフラッシュメモリ１８又は特定の外部記憶媒体を含んでもよい。装置内部は標準バスを介してメモリカード１２、ＵＳＢフラッシュメモリ１８又はその他の外部記憶媒体に接続され、端末装置が円滑にメモリカード１２又はその他のストレージにアクセスできる。装置内部に配設された標準バスは、ＵＳＢ、Ｉ２Ｃ又は汎用非同期送受信機（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ、ＵＡＲＴ）であってもよく、シリアル（ｓｅｒｉａｌ）又はパラレル（ｐａｒａｌｌｅｌ）等のデータ伝送方式を利用して各インタフェースとの通信を行うことができる。
【００２１】
実施例の例示によれば、ネットワーク装置１０がサポートする通信プロトコルは、例えばハイパーテキスト転送プロトコル（ＨＴＴＰ）ファイルサーバ（ＨＴＴＰ  ｆｉｌｅ  ｓｅｒｖｅｒ）、ファイル転送プロトコル（ＦＴＰ）ファイルサーバ（ＦＴＰ  ｆｉｌｅ  ｓｅｒｖｅｒ）であり、このうちＨＴＴＰファイルサーバは主としてメモリにおけるファイルの転送サービスを提供し、ＦＴＰファイルサーバはそのファイルフォルダ（ｆｉｌｅ  ｆｏｌｄｅｒ）のアクセスサービスを提供する。一般的に、各種プラットフォームに適用されるデータアクセスサービスを提供するために、ファイルシステムはＦＡＴ、ＦＡＴ３２、ＮＴＦＳ、ｅｘＦＡＴ等であってもよいが、実際の実施においてはプラットフォームに基づいて設計することができ、これらのファイルシステムに限定されない。
【００２２】
従って、各端末装置（例えば１４、１６）は、装置がサポートできる通信プロトコルを介してネットワーク装置１０に接続することができ、装置内部の標準バスを介して外部記憶媒体におけるファイルにアクセスすることができる。また、ネットワーク装置１０は、記憶装置を内蔵してもよく、それによって各端末装置が同様の通信プロトコル技術によってそのデータにアクセスすることができるようにしてもよい。
【００２３】
ネットワーク装置の周辺接続関係の実施例について、続いて図２に接続関係の実施例を示した模式図を示す。
【００２４】
図２はネットワーク装置２０と外部装置との接続関係を示す。ネットワーク装置２０は、近端モバイル電子装置２０７及びパーソナルコンピュータ（図示せず）等の端末装置に対してネットワーク２００に接続する接続ルーティングサービスを提供するためのネットワークルータであってもよい。近端モバイル電子装置２０７は特にタブレットＰＣ、スマートフォンといった外部メモリ拡張能力の低い電子装置であってもよい。従って、ネットワーク装置２０を利用することでより大容量の拡張を提供する必要がある。この例において、ネットワーク装置２０は、メモリカード２０１のカードリーダインタフェースを提供し、更に他の外部記憶装置２０３のアクセスインタフェースを提供することができ、例えばＵＳＢを介して外付ハードディスク、ディスクアレイ、ＵＳＢフラッシュメモリ等の記憶装置に接続することができ、更にはネットワーク接続記憶装置（Ｎｅｔｗｏｒｋ−Ａｔｔａｃｈｅｄ  Ｓｔｏｒａｇｅ、ＮＡＳ）にも接続することができ、各端末装置に対して各種外部記憶媒体にアクセスするアクセスサービスを提供する。
【００２５】
この実施例におけるネットワーク装置２０は、近端のコンピュータシステム２０５に接続されるための有線接続ポートを設けてもよく、ネットワーク装置２０はこの接続関係によって直接コンピュータシステム２０５のネットワーク接続サービスを提供することができる。コンピュータシステム２０５もこの接続ポートを介してネットワーク装置２０に給電する或いは内部電池に充電することができる。この有線接続ポートはＢ型ＵＳＢであってよく、このコネクタを充電インタフェースとして設計してもよい。
【００２６】  実施例によれば、ネットワーク装置２０とモバイル電子装置２０７との接続インタフェースを無線ＬＡＮ（ＷｉＦｉ）としてもよく、モバイル電子装置２０７はこのネットワーク装置２０によってネットワークに接続することができる。また、ネットワーク装置２０は、有線ネットワークポート（例えばＲＪ−４５）を具えることでコンピュータシステムを接続する実施形態としてもよい。ネットワーク装置２０とコンピュータシステム２０５との接続はＵＳＢポートによって実現されてもよい。メモリカード２０１との接続はカードリーダ機構によって構成されたスロットを介してもよい。カードリーダ機構の接続型式は、サポートしようとするメモリカード２０１に基づいて決められてもよく、複数種のメモリカード２０１をサポートする複合式スロットとして設計されてもよい。外部記憶装置２０３に対するアクセスインタフェースはＵＳＢが好ましいが、その他の例えば（公序良俗違反につき、不掲載）ＵＡＲＴ等のインタフェース型式であってもよい。
【００２７】
続いて図３は、本考案に係るアクセスパス選択機能を有するネットワーク装置の実施例を示した回路ブロック図である。図に示す本考案の実施例におけるネットワーク装置３０は、主な回路として、ネットワークパケットルーティングを実行するネットワーク通信回路、無線送信を行う無線通信回路、独立電源管理回路、外部装置の接続インタフェース、及びアクセスパスの選択回路を含む。
【００２８】
図において、制御ユニット３０１は、ネットワーク装置３０が内部の各回路ユニットの信号のやり取りを制御するための制御回路であり、特にアクセス要求に基づいて端末装置にその内部資源のアクセス、パスの転送、アクセスインタフェースの起動と停止などを提供することができる。
【００２９】
ネットワーク装置３０は、無線通信モジュール３０４を含み、アンテナ３０５を介して外部と通信することができる。ネットワーク装置３０は、無線周波数（ＲＦ）信号の処理を実行することによって、外部の無線端末装置３３２の接続サービスを提供する。
【００３０】
ネットワーク装置３０は、主としてネットワーク３００と接続するための有線通信モジュール３０２を有する。ネットワーク装置３０は、無線端末装置３３２が生成したデータパケットを有線ネットワーク３００に転送（ルーティング）し、パケットのアクセスと転送のサービスを提供する。ネットワーク装置３０は、接続ポート３０３によってネットワーク３００に接続される。接続ポート３０３は例えばＲＪ−４５等の実施可能な有線ネットワークポートであってよい。
【００３１】
この実施例において、無線端末装置３３２は、無線手段によってネットワーク装置３０に接続されるが、端末装置として有線方式を利用してネットワーク装置３０に接続される実施形態としてもよい。ネットワーク装置３０は、パケットを他のネットワークセグメントに転送するサービスを提供することができ、ネットワーク装置３０に接続される記憶装置のデータアクセスサービスを提供することもできる。
【００３２】
ネットワーク装置３０は、図に示すように、少なくとも２つの外部接続ポートを提供し、そのうちの１つはメモリカードアクセスユニット３０８を介してメモリカード３３４に接続するインタフェースを提供し、他の１つは外部アクセスユニット３０９によって外部記憶装置３３５に接続される。メモリカードアクセスユニット３０８は、メモリカード３３４のデータアクセスを処理するための回路又は関連する制御回路であり、メモリカード３３４がインタフェースに挿入される際の電気信号をもとにメモリカード３３４の型式を判断するとともに、それに含まれる容量、ファイル形式（ｆｉｌｅ  ｆｏｒｍａｔ）といったデータを読み取る。
【００３３】
ネットワーク装置３０は、メモリカードアクセスユニット３０８及び外部アクセスユニット３０９に電気的に接続されるアクセスパス選択ユニット３０６を含む。アクセスパス選択ユニット３０６は、更にネットワーク装置３０の制御ユニット３０１に電気的に接続される。アクセスパス選択ユニット３０６は、メモリカード３３４又は外部記憶装置３３５にアクセスするアクセスパスを決定すると共に、外部の端末装置（例えば無線端末装置３３２又はその他の端末装置）のアクセスパスを決定する。
【００３４】
例えば、メモリカード３３４がメモリカードアクセスユニット３０８を介してネットワーク装置３０に接続されると、アクセスパス選択ユニット３０６は、取得された電気信号に基づいてメモリカード３３４が既に挿入されていると判断し、この時、制御ユニット３０１が送信したアクセス信号をメモリカードアクセスユニット３０８に導き、それによって端末装置がメモリカード３３４の内容にアクセスすることができる。
【００３５】
他の状況において、ネットワーク装置３０にメモリカード３３４が挿入されていない場合、アクセスパス選択ユニット３０６は、外部アクセスユニット３０９を介していずれかの外部記憶装置３３５がこのネットワーク装置３０に接続されているかどうかを判断し、特に外部アクセスユニット３０９が生成した電気信号から接続関係を判断する。外部アクセスユニット３０９は、同様に例えばＵＳＢ及びその制御装置のような、インタフェースを介して伝送されるデータ信号を処理するための特定のインタフェースの接続ポート及び制御回路として設計してもよい。この実施例において、制御ユニット３０１は、アクセスパス選択ユニット３０６、外部アクセスユニット３０９経由で外部記憶装置３３５に電気的に接続されることによって、型式、容量、ファイルシステムといった外部記憶装置３３５の情報を取得する。
【００３６】
１つの考案の実施例において、ネットワーク装置３０は、コンピュータシステム３３３に接続されるコンピュータシステム接続ユニット３０７を更に含んでもよい。コンピュータシステム接続ユニット３０７はネットワーク装置３０に電力供給を接続するためのポートを提供する。例えばＵＳＢインタフェースを介してコンピュータシステム３３３が接続されるようにしてもよく、この場合、対応するＵＳＢ制御回路が設けられなければならない。これにより、コンピュータシステム３３３を介してネットワーク装置３０の電力を供給するのみならず、ネットワーク装置３０は更にこの接続関係によってコンピュータシステム３３３にネットワーク接続サービスも提供することができると同時に、パケットルーティングと各ネットワークセグメントのデータ転送のサービスを提供することもできる。
【００３７】
好ましくは、ネットワーク装置３０は、独立電源を備える装置であり、電力供給を管理するための電力管理ユニット３１０を含む。電力管理ユニット３１０は、ネットワーク装置３０の交流電源３３６又は直流電源３３７の電源への接続を処理し、どの時点で交流電源３３６によって給電し、或いは直流電源３３７によって給電するかを判断する。ネットワーク装置３０内部に充電バッテリが設けられている場合、電力管理ユニット３１０はバッテリ電力を検知して、交流電源を引き込んでバッテリに給電することができる。
【００３８】
１つの実施例によれば、アクセスパス選択ユニット３０６は、インテリジェント型でアクセスパスを自己判断できる回路であってよく、各アクセスパスにおける制御回路（例えばＵＳＢ制御ＩＣとメモリカード制御ＩＣ）に対する信号を同時に取得するとともに、アクセスパス選択ユニット３０６のアクセスパス選択の判断フローを設定することができる。
【００３９】
例えば、まずメモリカードアクセスユニット３０８を介して、メモリカード３３４がネットワーク装置３０に挿入されているか否か、メモリカード３３４が円滑に挿抜できるか否かを判断する。メモリカード３３４が接続されている場合、別の装置が外部アクセスユニット３０９に接続されているかを問わず、メモリカード３３４が抜き取られるまでメモリカード３３４の接続を主要なアクセスパスとする。メモリカード３３４がネットワーク装置３０に接続されていない場合、アクセスパス選択ユニット３０６は、アクセスパスを、外部アクセスユニット３０９に接続される外部記憶装置３３５にアクセスするパスに切り替える。
【００４０】
上述したネットワーク装置のアクセスパスにおける設計について、図４にアクセスパス選択メカニズムの実施例の模式図を示す。
【００４１】
図４に示すように、上述したネットワーク装置内の回路素子の関係において、ネットワーク装置は、外部に対する少なくとも２つの接続機構が、それぞれ異なる外部記憶媒体に接続されるようにし、例えば図では外部に接続される２つのアクセスユニット４１１、４１３に接続される。
【００４２】
ネットワーク装置内の制御ユニット４２１は、装置の主要回路の中核であり、内部信号とデータの処理と伝送を司る。ネットワーク装置は、装置に電気的に接続され端末装置に接続される通信モジュール４２５を含む。通信モジュール４２５は制御ユニット４２１と電気的に接続し、有線又は無線通信プロトコルの通信信号を処理するのに用いられる。ルータ装置を例にすると、通信モジュール４２５は各通信データパケットを処理する回路であり、制御ユニット４２１と通信モジュール４２５はパケットルーティングを実行する主要回路である。また、通信モジュール４２５は、異なるネットワークセグメント（ｎｅｔｗｏｒｋ  ｓｅｇｍｅｎｔ）の接続のデータパケットを転送するのに用いられる。
【００４３】
制御ユニット４２１は、電力管理ユニット４２３に電気的に接続される。電力管理ユニット４２３は、各回路素子に必要な電力を含む、装置の動作に必要な電力配置を管理する。この実施例において、電力管理ユニット４２３は、本考案に係るネットワーク装置が提供する少なくとも２つの外部記憶媒体の接続機構に電気的に接続され、即ち少なくとも図に示す２組の機構であるメモリカードアクセスユニット４１１と外部アクセスユニット４１３（信号Ｓ１、Ｓ２）に電気的に接続される。また、電力管理ユニット４２３は、アクセスパス選択ユニット４０が提供する外部記憶媒体の接続状態の検知に基づいて電力を供給する。これにより、最低消費電力において節電の目的を達成することができる。このエネルギー節約の効果を以下に説明する。
【００４４】
電力管理ユニット４２３は、装置内の制御ユニット４２１と上述した少なくとも２つの接続機構に電気的に接続されるとともに、装置に必要な電源４２７（直流電源及び交流電源を含む）に電気的に接続されるため、異なる電源において異なるエネルギー節約の措置を講じることができる。接続状態に基づいて、装置内電力の配置によってアクセスパスを決めることができるため、１つ又は複数の端末装置がアクセスパス選択ユニット４０が決定したアクセスパスに基づいてそのうちの１つの外部記憶媒体にアクセスする効果を達成する。
【００４５】
他の実施例によれば、ネットワーク装置は更に、ユーザがネットワーク装置のネットワークパケットルーティングをオンオフできる機能を提供するように、制御ユニット４２１に電気的に接続さる起動スイッチ４２９を増設してもよい。例えば、ネットワーク装置はルータ装置として実現してもよく、記憶空間共有の装置として実現してもよい。ユーザが起動スイッチ４２９を押すと、信号が制御ユニット４２１を介して解釈された後、外部に対するネットワーク接続をオフする。有線接続機能をオフにした場合、即ちルータ機能がオフにされた場合、依然として近端の接続サービスを介して各端末装置又はコンピュータシステムが装置に接続されたメモリカードまたは外部記憶装置にアクセスすることができる。
【００４６】
図４に示すアクセスパス選択ユニット４０の実施例では、アクセスパス選択ユニット４０を介して、ネットワーク装置は、接続した各端装置の情報を取得することができる。接続するのに用いられるインタフェースは、ＵＳＢポート（信号Ｓ６）として実現できるコンピュータシステム接続ユニット４３１、メモリカードが挿入されるメモリカードアクセスユニット４１１、外部記憶装置が接続される外部アクセスユニット４１３を含んでもよい。
【００４７】
アクセスパス選択ユニット４０内には信号検知ユニット４０１を有する。信号検知ユニット４０１は、コンピュータシステム接続ユニット４３１、メモリカードアクセスユニット４１１及び外部アクセスユニット４１３に電気的に接続される。各接続において随時各インタフェースの電気信号が伝送されるため、信号検知ユニット４０１は、特定の検知ピン（ｐｉｎ）における電気信号に基づいて接続している装置があるか否かを判断する。例えば、信号検知ユニット４０１は、メモリカードアクセスユニット４１１に接続する信号Ｓ３に基づいてメモリカードがネットワーク装置に挿入されているか否かを判断し、又は外部アクセスユニット４１３に接続する信号Ｓ４を介して外部装置の接続情報を取得する。また、コンピュータシステム接続ユニット４３１との接続における電気信号Ｓ６によって接続情報を取得する。
【００４８】
図に示すように、制御ユニット４２１は、アクセスパス選択ユニット４０と接続するため、アクセスパス選択ユニット４０によって判断された接続信号を取得し、この接続信号に基づいて、端末装置の、ネットワーク装置を介して各外部装置に対するアクセスパスを決定するとともに、信号Ｓ５を介して選択ユニット４０３によるメモリカードアクセスユニット４１１又は外部アクセスユニット４１３に対するアクセスパスの選択を制御する。
【００４９】
実施例によれば、ネットワーク装置は少なくとも２つの外部記憶媒体のアクセスインタフェースを提供する。アクセスパスは、いずれかのメモリカードがネットワーク装置に挿入されているか否かを判断の根拠とする。装置の一般的動作状況において、電力管理ユニット４２３は装置の外部に対する接続における制御回路の最低消費電力量を提供する。図に示すＳ１とＳ２のように、電力管理ユニット４２３は、それぞれメモリカードアクセスユニット４１１と外部アクセスユニット４１３に給電する。
【００５０】
実施例において、信号検知ユニット４０１によって、コンピュータシステム接続ユニット４３１がすでに外部のコンピュータシステム、特にネットワーク装置に電力を供給することが可能なコンピュータシステム又はその他の電子装置に接続していることが検知された場合、ネットワーク装置の制御ユニット４２１は、この接続信号Ｓ６を取得し、電力管理ユニット４２３を介して外部システムからの給電を制御し、内部電池の給電を遮断するとともに、同時に装置内の電池ユニットを充電する。
【００５１】
ネットワーク装置は、挿入されるいずれのメモリカードにも接続されていない場合、基本動作を維持するようにメモリカードアクセスユニット４１１に最低消費電力量のみを提供する。メモリカードが挿入されている場合、信号検知ユニット４０１は、メモリカードアクセスユニット４１１から特定のピン（ＰＩＮ）への挿入の信号（Ｓ３）を取得し、次いで制御ユニット４２１を介して電力管理ユニット４２３がメモリカードアクセスユニット４１１に電力（Ｓ２）を供給するように制御する。
【００５２】
実施例において、いかなるメモリカードも挿入されていない状態では、信号検知ユニット４０１を介して各接続ピンの電気信号について外部装置に接続されるもう一方の外部アクセスユニット４１３が何らかの装置（特に記憶装置）に接続されているか否かを判断する（Ｓ４）。接続された外部装置があることが確認された場合、同様に制御ユニット４２１、電力管理ユニット４２３を介してこのインタフェースに給電するよう制御し（Ｓ１）、そうでない場合は最低消費電力量によって給電することで、節電の目的を達成する。
【００５３】
図５Ａは、本考案に係るアクセスパス選択機能を有するネットワーク装置におけるアクセスパス選択メカニズムの他の実施例の回路を示した模式図である。
【００５４】
本考案に係るネットワーク装置において、少なくとも２つの記憶装置の接続インタフェースを提供する。即ち、図に示したメモリカード制御ユニット５２とメモリカード接続ポート５６とからなるメモリカードアクセス回路と、外部アクセス制御ユニット５５と外部接続ポート５７とからなる外部アクセス回路とがそれである。この実施例において、メモリカード接続ポート５６は、メモリカード５０１がネットワーク装置に挿入されたことを受信する。外部接続ポート５７は例えばＵＳＢインタフェースであり、例えば図に示す外部記憶装置５０２、５０３である１つ又は複数の外部記憶装置の接続を受信する。
【００５５】
特筆すべきは、本考案では、まずネットワーク装置にメモリカードが挿入されているか否かを判断してからＵＳＢインタフェースを介して接続された装置にアクセスするか否かを決める。この実施例において、ネットワーク装置における外部接続ポート５７は、２つ以上の接続ポートであってもよい。外部アクセス制御ユニット５５は、複数本のイーサネット（登録商標）のツイストペアケーブル又は光ファイバを同一セグメントの物理媒体に集合接続させた集線装置（ＨＵＢ）の方式により、複数の接続された外部記憶装置５０２、５０３のデータ伝送を管理する。外部装置（例えばコンピュータシステム、タブレットＰＣ、スマートフォン等の電子装置）がネットワーク装置を介して、接続された外部記憶装置５０２、５０３にアクセスしようとする場合は、複数のネットワーク装置にアクセスするのと同様、アクセスを実行することができ、外部アクセス制御ユニット５５が集線装置のように接続サービスを提供する。
【００５６】
他の実施例において、外部アクセス制御ユニット５５は、例えばＵＳＢインタフェースである外部接続ポート５７を介して、例えば３Ｇ／３．５Ｇ等の無線通信のネットワークカードである無線送受信機に接続することができる。これにより、ネットワーク装置がモバイル通信ネットワークに接続する機能を有するようにするとともに、関連するルータ機能を達成し、接続する装置にモバイル通信ネットワークに接続する作用をもたらすことができる。
【００５７】
実施例において、メモリカード制御ユニット５２は、メモリカード５０１のデータ信号と、内部の選択ユニット５３、制御ユニット５０に接続するアクセスサービスを処理するためのものである。メモリカード制御ユニット５２は、更に図４におけるアクセスパス選択ユニット４０の回路を統合することができる。即ち、メモリ制御ユニット５２は、接続信号検知回路５２１を備える。接続信号検知回路５２１は、メモリカード接続ポート５６を介して直接その特定の検知ピン（ｐｉｎ）を検知し、いずれかのメモリカード５０１がこの接続ポートに挿入されているか否かの情報を把握する。
【００５８】
その後、制御ユニット５０が各外部装置の接続情報を取得し、制御信号を生成し、電力管理ユニット５４がメモリ制御ユニット５２と外部アクセス制御ユニット５５の電力分配を行う。メモリカード５０１が挿入された場合、検知信号を生成して制御ユニット５０に転送し、電力管理ユニット５４によるメモリカード制御ユニット５２への給電を制御し、外部記憶装置５０２が接続されているか否かを問わず、外部アクセス制御ユニット５５には最小消費電力量で給電を行う。これに対して、メモリカード５０１が装置に挿入されておらず、外部記憶装置５０２が接続されている場合は、電力管理ユニット５４による外部アクセス制御ユニット５５への給電を制御し、最小消費電力量でのみメモリカード制御ユニット５２に給電を行う。選択ユニット５３は、メモリカード５０１か外部記憶装置５０２かを判断した後、制御ユニット５０によって外部の端末装置に提供されるアクセスパスを決定する。このメカニズムにより装置の節電の目的を達成する。
【００５９】
上記実施例では、メモリカード５０１が挿入されているか否かを主要な電力分配の決定としたが、依然として、外部記憶装置５０２がネットワーク装置に接続されているか否かを判断の主要な根拠としてもよい。
【００６０】
他の実施例によれば、本考案のアクセスパス選択機能を有するネットワーク装置は、独立電源の応用以外に、電力アダプタ（Ａｄａｐｔｅｒ）の設計において、直接特定の端末装置（例えばタブレットＰＣ、スマートフォン等の電子装置）の電源アダプタと統合してもよい。その目的は電源アダプタを共有することで、線材のコストを抑制し携行性を向上させることにある。
【００６１】
本考案の装置の他の機能に係る実施例について、図５Ｂに回路の模式図を示す。ここで、ネットワーク装置の外部アクセス制御ユニット５５を介して外部のＡＶ処理装置に接続することによって、ＡＶ信号伝送の機能を更に提供することができる。
【００６２】
外部アクセス制御ユニット５５の実施例は例えばＵＳＢインタフェースであり、外部のオーディオ処理装置５０５がこのＵＳＢインタフェースを介して外部アクセス制御ユニット５５に接続されることで、ネットワーク装置が、出力及びオーディオ出力を含むオーディオ信号の処理を行うことができるようになる。また、外部アクセス制御ユニット５５は更に、ＡＶ処理装置５０７を接続するようにしてもよい。ＡＶ処理装置５０７にはマイクロフォンジャック５０８、スピーカジャック５０９、ＡＶポート５１０が設けられる。ＡＶ処理装置５０７を介してデジタル／アナログ変換を処理し、ネットワーク装置がＡＶ信号をルーティングするようにする。
【００６３】
関連実施例について、図６Ａにネットワーク装置の電源接続の実施例の模式図を示す。
【００６４】
図中、ネットワーク装置６０は、本明細書で説明する挿入されたメモリカード６８にリモートアクセスすることができるネットワーク装置である。ネットワーク装置６０は、メモリカードスロット６０３を有し、端末装置６４に接続されることにより、ネットワーク接続ポート６０５によって接続された他のネットワークセグメントにアクセスすると同時に、ネットワーク装置６０におけるメモリカード６８の内容にアクセスするアクセスサービスを提供する。
【００６５】
この実施例において、ネットワーク装置６０は、更に電力変換の機能を提供する。ネットワーク装置６０は、一端に電力ケーブル６２１を介して電源アダプタ６２が電気的に接続され、これにより電力供給を受ける。他端には接続ポートと電力ケーブル６０１を介して端末装置６４が接続され、ネットワーク装置６０内の電力変換回路（図示せず）によって電源アダプタ６２が端末装置６４に接続され給電される。
【００６６】
例えば、電子装置は通常ユニバーサルシリアルバス（ＵＳＢ）を利用して電源に接続され、電源アダプタ６２にＵＳＢポートが設けられる。本実施例の設計において、ネットワーク装置６４はこのＵＳＢポートを介して電力を得ており、同時に装置６０は他のＵＳＢポートを有して外部からの電力を変換し、端末装置６４と１つの電源アダプタ６２を共用し、ネットワーク装置６０と端末装置６４に給電すると同時に、ネットワーク装置６０内部のバッテリを充電することもできる。
【００６７】
図６Ｂは、ネットワーク装置の他の電源接続の実施例を示す。
【００６８】
この実施例において、ネットワーク装置６０’は、直接電源アダプタ６２に接続される付加装置として実現される。即ち、ネットワーク装置６０’は直接電源アダプタ６２’の電力ポート（例えばＵＳＢ）に接続され、更に図に示すように、ネットワーク装置６０’は、電源アダプタ６２’の電力を再度中継し、電力ケーブル６０１を利用して端末装置６４に電力を提供する。
【００６９】
図中、ネットワーク装置６０’は、電力ケーブル６０１を介して端末装置６４に接続されることによって給電及び充電を行い、設計により直接電源アダプタ６２’に接続され、電源アダプタ６２’に電気的に接続された付加装置となり、電力を一端に外付けされた端末装置６４に変換接続することができる。ネットワーク装置６０’はまた端末装置６４に無線ネットワーク接続機能を提供するとともに、メモリカードスロット６０３にメモリカード６８が挿入され、外部記憶装置（接続ポートは図示せず）へのアクセスが提供され、ネットワーク接続ポート６０５によって外部に対するネットワーク接続が提供され、パケットルーティングが実行されるようにした。
【００７０】
本考案において、ネットワーク装置は、端末装置に少なくとも２つの外部記憶媒体のアクセスサービスを提供し、アクセスパス選択機能が設けられている。アクセスパスの選択のフローを図７に示す。
【００７１】
本考案のネットワーク装置を起動した後（ステップＳ７０１）、ネットワーク装置の電力管理、ネットワーク通信機能及び各外部に対する接続ポートが待機状態となり、ネットワーク装置が各端末装置の接続要求を受けることができる。ここで、一般のパケットルーティングの要求以外に、更にはネットワーク装置に接続された外部記憶媒体にアクセスするアクセス要求を受信し、アクセス信号を受信し（ステップＳ７０３）、ネットワーク装置がアクセスインタフェース接続検知の機能を起動させる（ステップＳ７０５）。
【００７２】
ネットワーク装置は、１つの実施例において、その内部の信号検知ユニットを利用して各外付インタフェースの接続ピンの電気信号を介してメモリカードがネットワーク装置に挿入されているか否かを判断する（ステップＳ７０７）。一般的応用では、メモリカードの特定の接続ピンの接続信号を検知し、特定のメモリカード接続装置におけるカードリーダインタフェースがある場合、メモリカード制御ユニットが１つの接続信号を取得することができる。装置内の信号検知ユニットが引き続きこの接続信号を検知した場合、装置の制御ユニットは相対的に制御信号を生成し、メモリカードアクセスユニット（メモリカード）に対するものと外部アクセスユニット（外部記憶装置）に対するアクセスパスを含む１つのアクセスパスを選択する。
【００７３】
メモリカードに接続しているか否かの検知によって「接続していない」と判断した場合、メモリカードがネットワーク装置に接続されていないことを表示し、且つこの時何らかの外部記憶装置が他のアクセスインタフェースを介してネットワーク装置に接続され、例えばステップＳ７０９のように、ネットワーク装置の制御ユニットが外部記憶装置に接続される外部アクセスユニットへの電力供給を制御して、メモリカードアクセスユニットの最小需要の消費電力量のみを供給することによって、エネルギー節約の目的を達成することができる。この時、制御ユニットは、選択回路（選択ユニット）を介してアクセスパスを外部アクセスユニットへの接続に切り替えて（ステップＳ７１１）、端末装置が直接外部記憶装置にアクセスできるようにする（ステップＳ７１３）。
【００７４】
上記メモリカードに接続しているか否かの検知によって「接続している」と判断した場合、メモリカードがすでにアクセスインタフェースに挿入されていることを表示し、例えばステップＳ７１５に示すように、制御ユニットがメモリカードアクセスユニットへの電力供給を制御して、選択した回路を介してアクセスパスをメモリカードアクセスユニットへの接続に切り替えて（ステップＳ７１７）、アクセス要求を発している端末装置が直接メモリカードにアクセスできるようにする（ステップＳ７１９）。
【００７５】
以上のように、本考案のアクセスパス選択機能を有するネットワーク装置は、２つ以上の外部記憶媒体に接続するための接続インタフェースを同時に具え、ネットワーク装置内のファイルシステムを解析することによって、無線又は有線の通信手段を介して、接続する端末装置とリンクし、それによってリモートアクセスサービスを提供することができ、特に保存拡張能力が不足している端末装置にファイルアクセスの１つの選択肢を提供する。このアクセスパス選択機能を有するネットワーク装置は、簡易なネットワーク接続記憶装置（ＮＡＳ）及びカードリーダ機能を統合し、電力管理メカニズムを介してインテリジェントなエネルギー節約及びカードの活線挿抜の機能をサポートすることができる。
【００７６】
上記は本考案の好ましい実施例に過ぎず、本考案の範囲を限定するものではない。従って、本考案の明細書及び図面の内容を運用した等価の構造変化はすべて本考案の範囲に含まれる。
【符号の説明】
【００７７】
１０  ネットワーク装置
１２  メモリカード
１４  コンピュータ
１６  電子装置
１００  ネットワーク
１０１  サーバ
１０３  コンピュータ
１０５  ネットワークストレージ
１８  ＵＳＢフラッシュメモリ
２０  ネットワーク装置
２０１  メモリカード
２０３  外部記憶装置
２０５  コンピュータシステム
２０７  モバイル電子装置
２００  ネットワーク
３０１  制御ユニット
３０２  有線通信モジュール
３０３  接続ポート
３０４  無線通信モジュール
３０５  天線
３０６  アクセスパス選択ユニット
３０７コンピュータシステム接続ユニット
３０８メモリカードアクセスユニット
３０９  外部アクセスユニット
３１０  電力管理ユニット
３００  ネットワーク
３３２  無線端末装置
３３３  コンピュータシステム
３３４  メモリカード
３３５  外部記憶装置
３３６  交流電源
３３７  直流電源
４０  アクセスパス選択ユニット
４０１  信号検知ユニット
４０３  選択ユニット
４１１  メモリカードアクセスユニット
４１３  外部アクセスユニット
４２１  制御ユニット
４２３  電力管理ユニット
４２５  通信モジュール
４２７  電源
４２９  起動スイッチ
４３１  コンピュータシステム接続ユニット
Ｓ１，  Ｓ２，  Ｓ３，  Ｓ４，  Ｓ５，  Ｓ６  信号
５０  制御ユニット
５２  メモリカード制御ユニット
５２１  接続信号検知回路
５３  選択ユニット
５４  電力管理ユニット
５５  外部アクセス制御ユニット
５６  メモリカード接続ポート
５７  外部接続ポート
５０１  メモリカード
５０２，  ５０３  外部記憶装置
５０５  オーディオ処理装置
５０７  ＡＶ処理装置
５０８  マイクロフォンジャック
５０９  スピーカジャック
５１０  ＡＶポート
６０，  ６０’ネットワーク装置
６２，  ６２’電源アダプタ
６２１，  ６０１  電力ケーブル
６０５  ネットワーク接続ポート
６０３  メモリカードスロット
６４  端末装置
６２０  電源付加装置
６８  メモリカード
【図１】
0003183283.tif 000003
【図２】
0003183283.tif 000004
【図３】
0003183283.tif 000005
【図４】
0003183283.tif 000006
【図５Ａ】
0003183283.tif 000007
【図５Ｂ】
0003183283.tif 000008
【図６Ａ】
0003183283.tif 000009
【図６Ｂ】
0003183283.tif 000010
【図７】
0003183283.tif 000011
【手続補正書】
【提出日】平成25年3月4日(2013.3.4)
【手続補正１】
【補正対象書類名】明細書
【補正対象項目名】００１７
【補正方法】変更
【補正の内容】
【００１７】
本明細書に記載するアクセスパス選択機能を有するネットワーク装置によれば、このネットワーク装置は少なくとも外部記憶媒体にアクセスする２つのインタフェースを提供し、そのネットワーク通信機能によってリモートデータ保存サービスを提供し、同時に複数のネットワークサービスアクセス端末、例えばパーソナルコンピュータ、タブレットＰＣ、スマートフォン及びネットワーク接続機能を有する電子装置に対してサービスを提供することができる。装置は、ポータブル式で、独立動作が可能で、無線接続能力を有する１つのネットワーク装置であってもよい。１つの実施例によれば、ネットワーク装置は少なくとも例えばカードリーダであるメモリカードアクセスインタフェースを有し、エネルギー節約及びカードの活線挿抜（Ｈｏｔ  Ｓｗａｐｐｉｎｇ）の機能をサポートし、更に外部記憶装置に接続可能な他のアクセスインタフェースを含む。外部記憶装置に接続可能な他のアクセスインタフェースとしては、例えばユニバーサルシリアルバス（ＵＳＢ）などのものであってもよいが、特に制限がない。このアクセスパス選択機能を有するネットワーク装置は、独立電源を有し、直流電源（ＤＣ）及び交流電源（ＡＣ）を使用することができる。これにより、このネットワーク装置にアクセスする端末設備は、通信プロトコル（ｃｏｍｍｕｎｉｃａｔｉｏｎ  ｐｒｏｔｏｃｏｌ）を介して、所要のサービスの内容を選択、制御することができる。
【手続補正２】
【補正対象書類名】明細書
【補正対象項目名】００２６
【補正方法】変更
【補正の内容】
【００２６】
実施例によれば、ネットワーク装置２０とモバイル電子装置２０７との接続インタフェースを無線ＬＡＮ（ＷｉＦｉ）としてもよく、モバイル電子装置２０７はこのネットワーク装置２０によってネットワークに接続することができる。また、ネットワーク装置２０は、有線ネットワークポート（例えばＲＪ−４５）を具えることでコンピュータシステムを接続する実施形態としてもよい。ネットワーク装置２０とコンピュータシステム２０５との接続はＵＳＢポートによって実現されてもよい。メモリカード２０１との接続はカードリーダ機構によって構成されたスロットを介してもよい。カードリーダ機構の接続型式は、サポートしようとするメモリカード２０１に基づいて決められてもよく、複数種のメモリカード２０１をサポートする複合式スロットとして設計されてもよい。外部記憶装置２０３に対するアクセスインタフェースはＵＳＢが好ましいが、外部記憶装置２０３にアクセスできるアクセスインタフェースであればよく、特に制限がない。